(57)【特許請求の範囲】
【請求項１】
ハードディスクドライブのケース内において、プラッタの半径方向に延在し、プラッタの表面に弾接する方向に付勢された鑢体と、この鑢体を、その付勢力に抗して、プラッタの表面から離間する位置に係止するストッパと、プラッタの外周部近傍に配設され、基端を揺動可能に支承されると共に、自由端がプラッタの外周端縁から離間する方向に付勢された作動腕と、この作動腕の自由端において、プラッタの回動軸と平行な軸線の回りを回動可能に支承され、一端に異形断面部を形成した作動軸と、この作動軸の異形断面部の移動軌跡に沿って一定の長さで延在し、異形断面部と係合して作動軸に回り止めを施す案内突条と、作動軸に一体かつ同軸に連設された摩擦円板及びプーリーと、ストッパと作動腕の自由端とを連結する第１線体と、一端をプーリーの外周部に固定され、複数回プーリーに巻き掛けられると共に、他端をケース外に導出された第２線体とを有し、第２線体の引き始めの過程において、作動軸を回転させないで摩擦円板をプラッタの外周縁に接合させる動きを利用し、第１線体を介してストッパを係止位置から外して鑢体をプラッタ表面に弾接し、以降、更に第２線体を引くことにより、プーリー及びこれと一体の摩擦円板を介してプラッタを回転させ、プラッタの表面を研削することを特徴とする破壊機能付ハードディスクドライブ。
【請求項２】
プラッタの外周縁に沿って歯車を形成したハードディスクドライブのケース内において、プラッタの半径方向に延在し、プラッタの表面に弾接する方向に付勢された鑢体と、この鑢体を、その付勢力に抗して、プラッタの表面から離間する位置に係止するストッパと、プラッタの外周部近傍に配設され、基端を揺動可能に支承されると共に、自由端がプラッタの外周端縁から離間する方向に付勢された作動腕と、この作動腕の自由端において、プラッタの回動軸と平行な軸線の回りを回動可能に支承され、一端に異形断面部を形成した作動軸と、この作動軸の異形断面部の移動軌跡に沿って一定の長さで延在し、異形断面部と係合して作動軸に回り止めを施す案内突条と、作動軸に一体かつ同軸に連設された駆動歯車及びプーリーと、ストッパと作動腕の自由端とを連結する第１線体と、一端をプーリーの外周部に固定され、複数回プーリーに巻き掛けられた後、他端をケース外に導出された第２線体とを有し、第２線体の引き始めの過程において、作動軸を回転させないで駆動歯車をプラッタの外周縁に形成された歯車に噛み合わせる動きを利用し、第１線体を介してストッパを係止位置から外して鑢体をプラッタ表面に弾接し、以降、更に第２線体を引くことにより、プーリー及びこれと一体の駆動歯車との噛み合わせ係合を介してプラッタを回転させ、プラッタの表面を研削することを特徴とする破壊機能付ハードディスクドライブ。
【発明の詳細な説明】
【技術分野】
【０００１】
この発明は、破壊機能付ハードディスクドライブ（以下単にＨＤＤという）に係り、特に、必要なときに一操作でハードディスクの内容を物理的に消去できるＨＤＤに関する。
【背景技術】
【０００２】
所謂デスクトップ型のパソコンにおいても或いはノートパソコンにおいても、ＨＤＤは主要なメモリー装置になっていることは周知の事実である。
【０００３】
しかして、例えばパソコンを廃棄する場合、ＨＤＤに蓄積された情報をその侭にしておくと具合が悪いので、その内容を消去するのが普通である。
【０００４】
ＨＤＤの内容を他人に読まれないように完全に消去するには、リアル・フォーマット、プラッタの表面を強力な磁石で走査する磁気的消去法、或いは、プラッタのそのものを機械的に破壊する方法等がある。
【発明の開示】
【発明が解決しようとする課題】
【０００５】
しかしながら、リアル・フォーマットは操作が面倒で時間もかかり、磁気的消去法或いはプラッタを機械的に破壊する方法も面倒でコストもかかる。
【０００６】
一方、戦場でもパソコンが多用されているが、例えば戦況が思わしくなく急いで退却しなければならない場合に、ＨＤＤの内容をその侭にしたパソコンを残していくことは絶対に避けるべきである。
【０００７】
しかしながら、このような場合ＨＤＤの内容を素速くかつ完全に消去する方法は無く、また、本出願人等の知っている限り、ＨＤＤの内容を素速く消去する所謂破壊機能付ＨＤＤに関する特許文献、或いは非特許文献は無い。
【０００８】
そこで、この発明は、簡単な構造で、しかも一操作で素速くプラッタの表面を機械的に破壊して蓄積内容を消去できる、破壊機能付ＨＤＤを提供することを目的としている。
【課題を解決するための手段】
【０００９】
上記の目的を達成するため、請求項１に記載の発明は、ハードディスクドライブのケース内において、プラッタの半径方向に延在し、プラッタの表面に弾接する方向に付勢された鑢体と、この鑢体を、その付勢力に抗して、プラッタの表面から離間する位置に係止するストッパと、プラッタの外周部近傍に配設され、基端を揺動可能に支承されると共に、自由端がプラッタの外周端縁から離間する方向に付勢された作動腕と、この作動腕の自由端において、プラッタの回動軸と平行な軸線の回りを回動可能に支承され、一端に異形断面部を形成した作動軸と、この作動軸の異形断面部の移動軌跡に沿って一定の長さで延在し、異形断面部と係合して作動軸に回り止めを施す案内突条と、作動軸に一体かつ同軸に連設された摩擦円板及びプーリーと、ストッパと作動腕の自由端とを連結する第１線体と、一端をプーリーの外周部に固定され、複数回プーリーに巻き掛けられると共に、他端をケース外に導出された第２線体とを有し、第２線体の引き始めの過程において、作動軸を回転させないで摩擦円板をプラッタの外周縁に接合させる動きを利用し、第１線体を介してストッパを係止位置から外して鑢体をプラッタ表面に弾接し、以降、更に第２線体を引くことにより、プーリー及びこれと一体の摩擦円板を介してプラッタを回転させ、プラッタの表面を研削することを特徴とする。
【００１０】
また、請求項２に記載の発明は、プラッタの外周縁に沿って歯車を形成したハードディスクドライブのケース内において、プラッタの半径方向に延在し、プラッタの表面に弾接する方向に付勢された鑢体と、この鑢体を、その付勢力に抗して、プラッタの表面から離間する位置に係止するストッパと、プラッタの外周部近傍に配設され、基端を揺動可能に支承されると共に、自由端がプラッタの外周端縁から離間する方向に付勢された作動腕と、この作動腕の自由端において、プラッタの回動軸と平行な軸線の回りを回動可能に支承され、一端に異形断面部を形成した作動軸と、この作動軸の異形断面部の移動軌跡に沿って一定の長さで延在し、異形断面部と係合して作動軸に回り止めを施す案内突条と、作動軸に一体かつ同軸に連設された駆動歯車及びプーリーと、ストッパと作動腕の自由端とを連結する第１線体と、一端をプーリーの外周部に固定され、複数回プーリーに巻き掛けられた後、他端をケース外に導出された第２線体とを有し、第２線体の引き始めの過程において、作動軸を回転させないで駆動歯車をプラッタの外周縁に形成された歯車に噛み合わせる動きを利用し、第１線体を介してストッパを係止位置から外して鑢体をプラッタ表面に弾接し、以降、更に第２線体を引くことにより、プーリー及びこれと一体の駆動歯車との噛み合わせ係合を介してプラッタを回転させ、プラッタの表面を研削することを特徴とする。
【発明の効果】
【００１１】
上記のように構成された請求１及び２に記載の発明によるＨＤＤは、ケース外に、或いはパソコンの表面に導出された第２線体の他端を少し引く操作により、摩擦円板又は駆動歯車をプラッタの外周縁に接触、或いは噛み合わせると共に、ストッパを外して鑢体をプラッタ表面に弾接させ、更に第２線体を引くことにより、プラッタを回して鑢体によりプラッタ表面を研削するので、一動作でＨＤＤの破壊を確実に行える、という所期の効果を奏する。
【００１２】
また、構造が簡単なので、実施も容易であることは勿論、パソコンを廃棄する際のＨＤＤの破壊処理を専門業者に依頼しなくても済む、等種々の効果を奏する。
【発明を実施するための最良の形態】
【００１３】
基端を回動自在に支承された作動腕の自由端に、一端に異形断面部を形成した作動軸を回動可能に支承すると共に、作動軸に一体かつ同軸に連設された摩擦円板及びプーリーがプラッタ外周端縁から離間する方向に付勢し、一方、プラッタの半径方向に延在し、プラッタの表面に弾接する方向に付勢された鑢体を、プラッタの表面から離間する位置に係止するストッパを設け、また、プーリーに第２線体を複数回巻き掛け、ケース外に導出された第２線体の他端を引く最初の行程により、ストッパを外して鑢体をプラッタの表面に弾接し、以降、更に第２線体を引くことによりプラッタを回してその表面を鑢掛けするようにしたので、簡単構造で確実に蓄積内容を破壊できるＨＤＤを構成できた。
【実施例１】
【００１４】
以下この発明の実施例を図面を参照して説明する。
請求項１に記載の発明の一実施例を示す図１において符号１はケースを示し、このケースに内にはスピンドルモータ２付のプラッタ３が収納されている。
【００１５】
このプラッタ３は、厚さがたとえば１ｍｍ（粍）程度の平滑なガラス円板の少なくとも一面（図示の実施例では両面）に磁性薄膜を塗着したもので、その薄膜に磁気的に蓄積された情報を、アクチュエータ４によって揺動される磁気ヘッド５によって読取る。
【００１６】
なお、かかるＨＤＤの構成は周知であるから、更に詳細な説明は省略する。なお、図１においては蓋を取り外して内部を示している。
【００１７】
上記ケース１内の例えば左上隅に、プラッタの半径方向に延在する一対の鑢（やすり）体６、６がプラッタ３を上下から挟むように配設されている。
【００１８】
図示の実施例における鑢体６は、例えば隣青銅等の一対の細長いばね板材を、間にスペーサブロック７を挟んで、支持ブロック８、８を介してケース（の底板）１にねじ止めされている。
【００１９】
各鑢体６の自由端部には、その幅方向の中心線に沿って、プラッタ３側に突出する突条９が形成されており（図３参照）、この突条の外面、すなわち、プラッタ３の表面に臨む細長い面上に、ダイヤモンド・パウダー、セラミック砥粒、或いは立方晶窒化砥粒（ＣＢＮ砥粒）等の砥粒が接着剤によって塗着されている。
【００２０】
或いは、細かい斜子目ローレットを刻設した後所謂焼きを入れた細長い鋼板を上記ばね板のプラッタ側の片面に貼る。この場合には、ばね板に突条を形成する必要は無い。
【００２１】
しかし、この侭の構成では図４に示すように突条９の砥粒がプラッタ３の表面に弾接し、プラッタ３を回すことができないので、ＨＤＤのプラッタとして使用するときには、図４に示すように、鑢体の基体であるばね板の基部にこれを横断する凹条１１を設け、この凹条１１、１１の間に、図２に示すように、細長い板状体であるストッパ１２を挿入し、このストッパ１２により鑢体６、６の自由端部を拡開して、鑢体６がプラッタ３に接触しないようにする。
【００２２】
一方、図１に示す実施例においてケース１の右上隅部には、作動腕１３がその基端（図１で下端）をケース１に揺動可能に支承されて収納されている。
【００２３】
そのため、図５及び図６に示すように、ケースの右上隅部に、中心に支軸１４を残して他の部分を切り欠いた形状の浅い皿状の取付部材１５がねじ止めされいる。
【００２４】
そして、この取付部材１５の支軸１４に、細長い長円形の作動腕１３の基端にかしめ付けられた第１カラー１６が回動可能に被嵌されており、Ｅ−リング等の止め輪１７によって抜け止めが施されている。
【００２５】
また、作動腕１３の自由端部（図６で左端部）には第２カラー１８がかしめ付けられており（図６参照）、この第２カラー１８には、摩擦円板１９及びプーリー２１を一体かつ同軸に連設した作動軸２２が回動可能に嵌合していて、止め輪１７によって抜け止めが施されている。
【００２６】
上記摩擦円板１９の外周には、後述するようにプラッタ３に弾接されたときプラッタ３を駆動しやすいように、リング状のゴム材２３を嵌装して摩擦係合の効率を向上させるを可とする。
【００２７】
更にまた、図５及び図６に示すように、作動軸２２の下端には図面を明瞭にするため付番を省略するスリワリが形成されており、このスリワリは取付部材１５の外周部に形成された環堤部である、円弧の一部をなす案内突条２４と係合している。
【００２８】
上記した構成により、作動軸の一端に形成された異形断面部であるスリワリが案内突条２４と係合しているときには、作動軸２２には回り止めが施されることになる。
【００２９】
なお、作動軸の一端の異形断面部としては、図示のスリワリに限らず、例えば小判形の断面とか、或いは半円形の断面等も採用することができる。
【００３０】
他方、図１に示すように、作動腕の第１カラー１６には、両端が拡開する方向に作用する捩りコイルばねが巻装されており、その第１アーム２５はばね掛けぴん２６に、第２アーム２７は前記作動腕の第２カラー１８に夫々掛け止められている。
【００３１】
上記した構成により、作動腕１３は図１で時計方向に回動する方向に付勢されているが、図面を明瞭にするため図示を省略するストッパにより、図１に示す角度位置に係止されているものとする。
【００３２】
また、図１に示すように、鑢体の前記ストッパ１２には第１線体２８の一端が連結されており、この第１線体２８は、アイドルプーリー２９、２９に掛け回された後、その他端を作動腕１３の自由端に連結されている。
【００３３】
この第１線体としては、例えば細い撚線ワイア、テグス糸、伸びない材質の合成樹脂紐、等が好適である。次に述べる第２線体も同様である。
【００３４】
更にまた、図１及び図６に示すように、一端をプーリー２１の外周部に固定された第２線体３１を複数回プーリーに巻きつけ、プラッタ３の上を通過させてからアイドルプーリー２９を介してケース１外に導出する。
【００３５】
なお、このＨＤＤが戦場で使用されるパソコンであるときには、この第２線体の他端をパソコン本体外に導出させるのが望ましく、この場合、第２線体が通過する穴には塵埃の侵入を防止するためシーラントを充填しておき、線体を引くときこのシーラントが破壊されるようにすると良い。
【００３６】
上記のように構成されたこの発明の一実施例によるＨＤＤにおいては、図１における常態、換言すれば第２線体に外力が作用しない状態では、ストッパ１２が鑢体６、６間に挿設されていて、鑢体は拡開しているから、ＨＤＤは従来のＨＤＤと同じ機能を発揮する。
【００３７】
しかして、例えば戦場において使用されていたパソコンが戦況の悪化によって廃棄しなければならない事態に立ち致った場合には、パソコンの電源が入っているいないに拘らず、先ず第２線体の他端を引く。
【００３８】
或いは、デスクトップのパソコンにおいて、パソコンを廃棄するにあたりＨＤＤの内容を消去する場合には、パソコンのケースを取り外して内部のＨＤＤを露呈させ、その外部に導出されている第２線体を引く。
【００３９】
すると、図１においてプラッタ３上に張られている第２線体３１が斜め左下に引張られる。
【００４０】
この第２線体に作用する張力は、プーリー２１を反時計方向に回転させる方向に作用すると同時に、プーリー及びこれと一体の摩擦円板１９を介して作動腕１３を反時計方向に回動させる方向に作用する。
【００４１】
しかしながら、図１における常態においては、作動軸２２は図５において右上に示す角度位置にあって、そのスリワリは案内突条２４と係合しており、したがって作動軸は回転できないから、上記第２線体に作用する張力は、専ら作動腕１３を反時計方向に回動させるために作用し、摩擦円板１９がプラッタ３に近接する方向に作動腕１３が回動する。
【００４２】
したがって、第１線体２８が図１で右方に引張られ、ストッパ１２が鑢体６、６間から引抜かれるので、図４に示すように、鑢体６、６が自由になり、プラッタ３を挟むよようにしてこれに弾接される。
【００４３】
これと同時に、図５の案内突条２４の左下に示すように作動軸２２との案内突条２４との係合が外れるので、第２線体３１を引く力は、摩擦円板１９をプラッタ３の外周端縁に弾圧すると共に、これを反時計方向に回動させようとする力の双方に分割される。
【００４４】
その結果、摩擦縁板１９が確りプラッタと係合して確実にプラッタを回動させるので、プラッタ３はこれに弾圧された鑢体６、６間で回転し、鑢体６、６がプラッタ３の表面の磁性薄膜を擦り取り、ＨＤＤが破壊される。
【００４５】
戦場においては、第２線体の他端の引出しリングを例えば釘に引っ掛け、パソコン本体を窓から放り投げるだけで、１動作で上記の破壊操作が行われる。
【００４６】
このとき、摩擦縁板１８のプラッタ３に対する弾圧力が大きくなり過ぎるとプラッタ３の動きが円滑でなくなる恐れがあるので、このような場合には、作動腕の回動角度を制限するアームストッパー３２（図１参照）を設けるとよい。
【００４７】
なお、第２線体３１のプーリー２１における巻き数に制限はないから、第２線体を長くしておけば、プラッタ３を複数回回動させることができ、鑢体によるプラッタ３表面の研削を更に確実に行える。
【実施例２】
【００４８】
なお、この発明を実施するにあたっては、図示の実施例に限定されず、種々に変形して実施することができる。
【００４９】
例えば、請求項２に記載の発明によれば、摩擦縁板１９の代りに図示しない駆動歯車を設けるものとし、これに対応して、プラッタの外周端縁にこれと噛み合い係合をする歯車を形成するものとしたから、プラッタの回動をより確実に行うことができる、という他の利点を期待できる。
【図面の簡単な説明】
【００５０】
【図１】請求項１に記載の発明の一実施例によるＨＤＤの蓋を取り外して示す線図的平面図。
【図２】鑢体の線図的側面図。
【図３】鑢体の線図的拡大横断面図。
【図４】図２と同様の鑢体の線図的側面図で、鑢体が閉じた状態を示す。
【図５】作動腕を取り外して示すその支持部の線図的平面図。
【図６】図１のＶＩ−ＶＩ線による断面図。
【符号の説明】
【００５１】
１  ケース
２  スピンドルモータ
３  プラッタ
４  アクチュエータ
５  磁気ヘッド
６  鑢体
９  突条
１１  凹条
１２  ストッパ
１３  作動腕
１４  支軸
１９  摩擦縁板
２１  プーリー
２２  作動軸
２４  案内突条
２８  第１線体
３１  第２線体
【図１】
0004568910.tif 000002
【図２】
0004568910.tif 000003
【図３】
0004568910.tif 000004
【図４】
0004568910.tif 000005
【図５】
0004568910.tif 000006
【図６】
0004568910.tif 000007